(57)【要約】【課題】異なる大きさのシリンダーに用いることができるピストン装置を提供する。【解決手段】一方と他方との間で連続する内部空間を有するシリンダーの該内部空間を該一方側と該他方側とに仕切るように配置されるピストン装置であって、該内部空間を該一方側と該他方側とに仕切る可撓性のピストン本体と、該内部空間が連続する方向である連続方向の成分を有する方向である変形方向の力をピストン本体に加えることでピストン本体を変形させる変形手段と、を備えてなり、変形手段によるピストン本体の変形により、該内部空間を規定するシリンダー内壁に当接するピストン本体の部分の大きさを変化させるものである、ピストン装置である。【選択図】図４
2019086013.tif 000002
【特許請求の範囲】
【請求項１】
一方と他方との間で連続する内部空間を有するシリンダーの該内部空間を該一方側と該他方側とに仕切るように配置されるピストン装置であって、
該内部空間を該一方側と該他方側とに仕切る可撓性のピストン本体と、
該内部空間が連続する方向である連続方向の成分を有する方向である変形方向の力をピストン本体に加えることでピストン本体を変形させる変形手段と、を備えてなり、
変形手段によるピストン本体の変形により、該内部空間を規定するシリンダー内壁に当接するピストン本体の部分の大きさを変化させるものである、ピストン装置。
【請求項２】
変形手段が力を加えていない状態のピストン本体が、球状を略なすものである、請求項１に記載のピストン装置。
【請求項３】
変形方向が連続方向と同じものである、請求項１又は２に記載のピストン装置。
【請求項４】
変形方向の前記力が圧縮力である、請求項１乃至３のいずれか１に記載のピストン装置。
【請求項５】
変形手段が、ピストン本体を挟んで変形方向の両側に存し、互いの変形方向に沿った距離が所定範囲内で変化可能な一対の作用部を有してなる、請求項４に記載のピストン装置。
【請求項６】
変形手段が、変形方向に沿った棒状部材を有してなり、
一対の作用部の少なくとも一方が該棒状部材の長手方向に沿って移動可能であると共に一対の作用部の少なくとも他方が該一方から遠ざかる方向に移動することが禁止可能なものである、請求項５に記載のピストン装置。
【請求項７】
一対の作用部の両方が前記棒状部材の長手方向に沿って移動可能であると共に一対の作用部の両方が一対の作用部の間の距離が増加する方向に変位することが禁止可能なものである、請求項６に記載のピストン装置。
【請求項８】
前記棒状部材がピストン本体を貫通するものである、請求項６又は７に記載のピストン装置。
【請求項９】
作用部の少なくとも一方が、ピストン本体に当接し前記棒状部材が貫通する貫通穴を有する当接板と、前記棒状部材に係止されることで当接板がピストン本体から遠ざかる方向に移動することを禁止する移動禁止部と、を含んでなる、請求項６乃至８のいずれか１に記載のピストン装置。
【請求項１０】
前記棒状部材はその長手方向に沿った雄ねじ部分を有してなり、
移動禁止部は、該雄ねじ部分に螺合する雌ねじ部分を内周面に有する貫通穴を有する雌ねじ部材により構成されるものである、請求項９に記載のピストン装置。
【請求項１１】
ピストン本体が、硬式テニスボールにより構成されるものである、請求項１乃至１０のいずれか１に記載のピストン装置。
【発明の詳細な説明】
【技術分野】
【０００１】
本発明は、ピストン装置に関し、より詳細には、ピストンが挿入されるシリンダーの大きさが変化しても対応できるピストン装置に関する。
【背景技術】
【０００２】
以前から、ピストン装置を用いた装置が知られている（例えば、特許文献１参照）。
特許文献１は、「こませを目的の場所に正確に撒く」（特許文献１の要約の課題）ために考案されたもので、具体的には、「透明プラスチックで筒体１を形成し、筒体の先端にノズル２を形成する。ノズル２の隣に、ノズル２より長い突起状の底当たり部材５を形成する。筒体１の後端にはキャップ６を捩じ込む。この筒体１の中にピストン７を摺動自在に嵌装する。ピストン７から延びる軸９は、キャップ６の中央にあけた孔を通って外に突出し、軸端に握り１０を取り付ける。このポンプの内容積は約0.5リットルである。」（特許文献１の要約の解決手段）というこませポンプを開示している。かかるこませポンプは、「ピストンポンプの中に水と共にこませを吸い込んで勢いよく吐出するようにしたものであり、遠くの目標に向ってこませを正確に、無駄なく撒くことができる効果がある。また、こませを溶いた容器の中で、水とこませが分離した場合、ポンプで吸引吐出を何回か繰り返すことで、水と込ませを均一に混ぜることができ、手でかき混ぜたりする必要がない。さらに、構造がシンプルであり、故障がなく、安価に供給することができる。筒体の先に底当たり部材を形成し、ノズルの先がこませを溶いた容器の底に当接しないようにすれば、こませの吸引に支障をきたすこともない。」（特許文献１の段落番号００１５〜００１６）という効果を奏する。
【先行技術文献】
【特許文献】
【０００３】
【特許文献１】実用新案登録第３０５６６２３号公報（例えば、要約、考案の詳細な説明中の段落番号０００５〜００１６、第１図、第２図等）
【発明の概要】
【発明が解決しようとする課題】
【０００４】
特許文献１に開示のこませポンプは、筒体１と、筒体１の中に嵌装されたピストン７と、ピストン７から延びるピストン軸９と、ピストン軸９の端に取り付けられた握り１０と、を備えており、握り１０を把持し、筒体１（シリンダー）に対してピストン７を移動させることにより、筒体１の先端に形成されたノズル２を経由して筒体１の内部空間に流体（特許文献１では、水とこませとの混合物）を吸入したり、該内部空間からノズル２を経由して流体を吐出することができる。
しかしながら、ピストン７は、ピストン７自身に適する１つの大きさの筒体１（シリンダー）にしか用いることができないことから、大きさの異なるシリンダーを用いる際には、シリンダーの各大きさに対応する大きさのピストンを準備する必要があり、ピストンの製造、保管及び搬送等のコストを増加させる問題があった。
そこで、本発明では、異なる大きさのシリンダーに用いることができるピストン装置を提供することを目的とする。
【課題を解決するための手段】
【０００５】
本発明のピストン装置（以下、「本装置」という）は、一方と他方との間で連続する内部空間を有するシリンダーの該内部空間を該一方側と該他方側とに仕切るように配置されるピストン装置であって、該内部空間を該一方側と該他方側とに仕切る可撓性のピストン本体と、該内部空間が連続する方向である連続方向の成分を有する方向である変形方向の力をピストン本体に加えることでピストン本体を変形させる変形手段と、を備えてなり、変形手段によるピストン本体の変形により、該内部空間を規定するシリンダー内壁に当接するピストン本体の部分の大きさを変化させるものである、ピストン装置である。
本装置は、特許文献１のピストン７と同様、一方と他方との間で連続する内部空間を有するシリンダー（筒体）の該内部空間を該一方側と該他方側とに仕切るように配置されるピストン装置である。
本装置は、大まかには、ピストン本体と変形手段とを備えてなる。
【０００６】
ピストン本体は、シリンダー（筒体）の内部空間を一方側と他方側とに仕切り、シリンダーの内部空間を一方側と他方側との間でシリンダーに対して相対的に移動する栓体である。この移動により、該内部空間のうちピストン本体に対して一方側及び／又は他方側の容量を変化させることによって、流体を該内部空間に吸入したり及び／又は該内部空間から吐出することができる。
ピストン本体は、後述の如く、変形手段により加えられる力による変形により、シリンダー（筒体）の内部空間を規定するシリンダー内壁に当接するピストン本体の部分の大きさを変化させることで、異なる大きさのシリンダーに用いることができるものであるので、所望の異なるシリンダー大きさに適する程度の可撓性を要する。
【０００７】
変形手段は、変形方向の力（圧縮力及び伸長力のいずれでもよい）をピストン本体に加えることでピストン本体を変形させる。変形方向は、シリンダーの内部空間が連続する方向である連続方向の成分を有する方向である。
このような変形手段によるピストン本体の変形により、シリンダーの内部空間を規定するシリンダー内壁に当接するピストン本体の部分の大きさを変化させることで、異なる大きさのシリンダーに１のピストン本体を用いることが可能になる。
【０００８】
本装置においては、変形手段が力を加えていない状態のピストン本体が、球状を略なすものであってもよい。
シリンダーの内部空間は直円柱形状を略なすことが多いことから、該内部空間にピストン本体を配置し、変形手段が、該直円柱の軸と平行な変形方向の力をピストン本体に加えることで、該軸と垂直な平面による断面におけるピストン本体の外周縁（円形を略なす）の大きさを連続的に変化させることができ（様々な大きさのシリンダーに対応できる。）、さらにピストン本体がなす球の中心を通過し該軸と垂直な平面によるピストン本体の断面におけるピストン本体の外周縁が、シリンダー内部空間を規定するシリンダー内壁に環状にうまく当接することから、様々な大きさのシリンダーにおいてシリンダーの内部空間を一方側と他方側とにうまく仕切ることができる。また、ピストン本体の外周縁がシリンダー内壁に当接する幅（該軸に平行な寸法）を小さくできるので、ピストン本体がシリンダー内壁に対して該軸方向への運動の際の摩擦を小さくすることができる（該運動を円滑ならしめる。）。
【０００９】
本装置においては、変形方向が連続方向と同じものであってもよい。
ピストン本体を変形させるためにピストン本体に加える力の方向である変形方向が、シリンダー内部空間が連続する方向である連続方向と同じであれば、シリンダーの内部空間を規定するシリンダー内壁に当接するピストン本体の部分の大きさをうまく変化させることで（変形方向と同じ移動方向に対して垂直な方向にピストン本体がうまく変形する。）、異なる大きさのシリンダーにうまく対応することができる。
【００１０】
本装置においては、変形方向の前記力が圧縮力であってもよい（以下「圧縮本装置」という。）。
変形手段がピストン本体に加える変形方向の力が圧縮力であれば、伸長力に比してピストン本体の変形量を大きくすることができ、幅広い大きさのシリンダーに対応することができる。
【００１１】
圧縮本装置においては、変形手段が、ピストン本体を挟んで変形方向の両側に存し、互いの変形方向に沿った距離が所定範囲内で変化可能な一対の作用部を有してなるもの（以下「作用部本装置」という。）であってもよい。
変形手段が有する一対の作用部は、ピストン本体を挟んで変形方向の両側に存し（即ち、一対の作用部の一方は、ピストン本体に対して変形方向の一方側に存すると共に、一対の作用部の他方は、ピストン本体に対して変形方向の他方側に存する。）、一対の作用部の間の変形方向に沿った距離が所定範囲内で変化可能にされるので、一対の作用部の間に挟まれたピストン本体に変形方向の圧縮力をうまく加えて、シリンダー内壁に当接するピストン本体の部分の大きさをうまく変化させることができる。
【００１２】
作用部本装置においては、変形手段が、変形方向に沿った棒状部材を有してなり、一対の作用部の少なくとも一方が該棒状部材の長手方向に沿って移動可能であると共に一対の作用部の少なくとも他方が該一方から遠ざかる方向に移動することが禁止可能なもの（以下「棒状部材本装置」という。）であってもよい。
こうすることで、変形手段が、変形方向に沿った棒状部材と、一対の作用部と、を有し、一対の作用部の少なくとも一方が該棒状部材の長手方向に沿って所定範囲を移動可能であると共に、一対の作用部の少なくとも他方が該一方から遠ざかる方向に移動することが禁止可能であるので、該他方が該一方から遠ざかる方向に移動することを禁止しつつ、該一方を該他方に近づくように該棒状部材の長手方向に沿って移動させることで、一対の作用部の間にピストン本体を挟んだ状態でピストン本体に変形方向の圧縮力をうまく加えることができる。
【００１３】
棒状部材本装置においては、一対の作用部の両方が前記棒状部材の長手方向に沿って移動可能であると共に一対の作用部の両方が一対の作用部の間の距離が増加する方向に変位することが禁止可能なものであってもよい。
こうすることで、一対の作用部のいずれもが前記棒状部材の長手方向に沿って移動可能であると共に一対の作用部のいずれもが一対の作用部の間の距離が増加する方向に変位することが禁止可能であるので、一対の作用部の間の距離が増加することを効果的に禁止しつつ、一対の作用部の間にピストン本体を挟んだ状態で該距離を調節してピストン本体に変形方向の必要な圧縮力を確実に加えることができる。
【００１４】
棒状部材本装置においては、前記棒状部材がピストン本体を貫通するものであってもよい。
一対の作用部が取り付けられる前記棒状部材がピストン本体を貫通し、前記棒状部材のうちピストン本体から一方側に突出した部分に一対の作用部の一方が取り付けられると共に、前記棒状部材のうちピストン本体から他方側に突出した部分に一対の作用部の他方が取り付けられるので、ピストン本体に対する一対の作用部の相対的位置が確実に定まり、一対の作用部の間にピストン本体を確実に挟むことができ、変形方向の必要な圧縮力をピストン本体に一層確実に加えることができる。
【００１５】
棒状部材本装置においては、作用部の少なくとも一方が、ピストン本体に当接し前記棒状部材が貫通する貫通穴を有する当接板と、前記棒状部材に係止されることで当接板がピストン本体から遠ざかる方向に移動することを禁止する移動禁止部と、を含んでなるもの（以下「移動禁止部本装置」という。）であってもよい。
一対の作用部のうち一方又は両方が、当接板と移動禁止部とを含む。当接板は、貫通穴に前記棒状部材を貫通させると共に、ピストン本体に当接する。移動禁止部は、前記棒状部材に係止されることで当接板がピストン本体から遠ざかる方向に移動することを禁止する。これにより当接板と移動禁止部という簡単な構成により作用部を形成できる。
【００１６】
移動禁止部本装置においては、前記棒状部材はその長手方向に沿った雄ねじ部分を有してなり、移動禁止部は、該雄ねじ部分に螺合する雌ねじ部分を内周面に有する貫通穴を有する雌ねじ部材により構成されるものであってもよい。
こうすることで、前記棒状部材の外面に雄ねじ部分を螺設し、移動禁止部は雌ねじ部材（前記棒状部材が有する該雄ねじ部分に螺合する雌ねじ部分が内周面に螺刻された貫通穴を有する。）により構成することができるので、一層簡単な構成により作用部を形成できる。
【００１７】
本装置においては、ピストン本体が、硬式テニスボールにより構成されるものであってもよい。
ピストン本体は、変形手段により加えられる力により変形し、シリンダー（筒体）の内部空間を規定するシリンダー内壁に当接するピストン本体の部分の大きさがうまく変化する程度の柔軟性及び可撓性を有すると共に、ピストンとして要求される程度の強度を有する必要がある。かかる点からは、硬式テニスボールをピストン本体として用いてもよい。
【図面の簡単な説明】
【００１８】
【図１】本発明の一実施形態に係るピストン装置（本装置）の正面図である。
【図２】本装置に含まれるピストンの図である。
【図３】本装置に含まれるピストン支持部の正面図である。
【図４】本装置の第１使用方法について説明する図である。
【図５】図４のＧ−Ｇ断面図である。
【図６】本装置の第２使用方法について説明する図である。
【図７】図６のＪ−Ｊ断面図である。
【図８】硬式テニスボールに貫入穴を穿設する一方法について説明する図である。
【発明を実施するための形態】
【００１９】
以下、本発明の実施の形態を図面を参照して説明する。しかしながら、これらによって本発明は何ら制限されるものではない。
【００２０】
図１は、本発明の一実施形態に係るピストン装置（本装置）１１の正面図であり、図２は、本装置１１に含まれるピストン２１の図（図２（ａ）はピストン２１の正面図であり、図２（ｂ）はピストン２１の平面図（図２（ａ）中の矢印Ａ方向から見たところを示している。）である。）であり、そして図３は、本装置１１に含まれるピストン支持部３１の正面図（後述の第２ワッシャー３６及び第２ナット３７を取り外している。）である。図１乃至図３を参照して、本装置１１について説明する。また、理解及び説明を容易にするため、互いに直交する３軸であるＸ軸、Ｙ軸及びＺ軸を用い、それぞれの軸の方向を図中に矢印Ｘ、矢印Ｙ及び矢印Ｚにて示す。
【００２１】
本装置１１は、大まかには、ピストン支持部３１と、ピストン支持部３１に取り付けられたピストン２１と、を備えてなる。
【００２２】
ピストン支持部３１は、真っ直ぐな丸棒により形成された第１支持棒３２と、真っ直ぐな丸棒により形成された第２支持棒３３と、第１ナット３４と、第１ワッシャー（丸平座金）３５と、第２ワッシャー（丸平座金）３６と、第２ナット３７と、を含んでなる。
第１支持棒３２は、Ｚ軸に平行な直線Ｃに長手方向が沿った鋼製の丸棒によって構成されている。
第２支持棒３３は、直線Ｃに長手方向が沿った鋼製の丸棒によって構成されており、その一端３３ａ（図１及び図３においては上端）が第１支持棒３２の一端３２ｂ（図１及び図３においては下端）に取り付けられている。これによって第１支持棒３２及び第２支持棒３３は、直線Ｃを軸とする回転体を形成している。第２支持棒３３の外周面には、他端３３ｂ（図１及び図３においては下端）から一端３３ａまで連続して雄ねじが螺刻されている。
【００２３】
第１ナット３４及び第２ナット３７は、同一のナット部材によって形成されており、いずれも貫通孔の内周面に螺刻された雌ねじが第２支持棒３３外周面の雄ねじに螺合することで、第２支持棒３３に取り付けられる。
第１ワッシャー３５及び第２ワッシャー３６は、同一のワッシャー部材によって形成されており、該ワッシャー部材が有する貫通孔に第２支持棒３３を遊嵌するが、第１ナット３４及び第２ナット３７は該貫通孔を通過できない。
第１ナット３４、第１ワッシャー３５、第２ワッシャー３６及び第２ナット３７は、一端３３ａから他端３３ｂに向かってこの順番で第２支持棒３３に外嵌されている（特に図１参照）。
【００２４】
ピストン２１は、ここでは硬式テニスボール（具体的には、ダンロップスポーツ株式会社製の商品名「スリクソン ＬＰ（プレッシャーレス  テニスボール）」）に貫入穴２３を穿設したものでほぼ球形に構成されている。貫入穴２３は、該球形の中心Ｅを通過する直線に沿って真っ直ぐに形成された貫通穴であり、ピストン２１が第２支持棒３３の長手方向（Ｚ軸方向）に沿ってスライド自由になるよう、第２支持棒３３を貫通させる。
【００２５】
なお、硬式テニスボールに貫入穴２３を穿設する方法としては、様々な方法が可能であるが、例えば、図８に示すようにしてもよい。具体的には、硬式テニスボール１０１を内周にて支持できる支持筒２０１を用いる。支持筒２０１は、上端が開放された直円柱（硬式テニスボール１０１の外面が略なす球の半径よりもやや小さな半径（ここでは２５ｍｍとした。）の直円柱）形状の内部空間２０３を有する直円筒形状のパイプ（ここでは高さが小さな硬質塩化ビニール管を用いた。）により形成されている。内部空間２０３が形成する直円柱の軸２０９は、ここでは鉛直方向と平行になっており、この内部空間２０３を規定する支持筒２０１の内周面２０５の上縁２０７に硬式テニスボール１０１が載置されることで硬式テニスボール１０１が支持されている（硬式テニスボール１０１が形成する球形状の中心Ｅは、軸２０９を含む直線上に存している。）。一方、軸２０９を含む直線上に回転軸が存するようにドリル２５１（直径８ｍｍ）が配設されている。ドリル２５１は、軸２０９に沿って進退可能（進退方向を矢印Ｑにて示す）に支持されており、回転したドリル２５１が図８中で下方向に移動することで硬式テニスボール１０１に貫入穴２３を穿設しピストン２１を形成できる。なお、硬式テニスボール１０１によっては、その表面に凹条が形成されているものがあるので（硬式テニスボール１０１により形成したピストン２１をシリンダーに挿入した際、該凹条によってピストン２１と該シリンダーとの間に隙間を生じ、ピストン２１とシリンダーとの間の液密性又は気密性を低下させる可能性がある。）、その凹条を充填材等で埋めるようにしてもよい。
【００２６】
かかるピストン２１をピストン支持部３１に取り付けたところが図１に示されている。詳細には、第１ナット３４、第１ワッシャー３５、ピストン２１、第２ワッシャー３６及び第２ナット３７が、一端３３ａから他端３３ｂに向かってこの順番で第２支持棒３３に外嵌され取り付けられている。ピストン２１は、第１ワッシャー３５と第２ワッシャー３６とに挟まれるように配置されており（ピストン２１は、第１ワッシャー３５の貫通孔と第２ワッシャー３６の貫通孔とのいずれも通過できない。）、第１ナット３４及び第２ナット３７の間の距離（第１ナット３４及び第２ナット３７を第２支持棒３３に対して回転させ、Ｚ軸方向の位置を調節することができる。）を調節することで、第１ワッシャー３５と第２ワッシャー３６との間のピストン２１の寸法を調節することができる（即ち、Ｚ軸方向へのピストン２１の押し潰し程度を変化させることができる。）。
【００２７】
本装置１１の使用方法について説明する。
図４は、本装置１１の第１使用方法について説明する図である。図４は、本装置１１のピストン２１をシリンダー５１の内部空間５３に嵌入したところを示す図であり、シリンダー５１の内部空間５３は、Ｚ軸に平行な軸を有し半径Ｒ１の直円柱形状をなし、シリンダー５１は該直円柱の軸を含む平面で切断したところを示している（本装置１１は断面ではない。）。図５は、図４のＧ−Ｇ断面図である。
ここではピストン２１が、重力を除き外力を受けていない状態（例えば図２）におけるピストン２１がなす球の半径Ｒ０よりも、半径Ｒ１はやや大きいものであるので（Ｒ１＞Ｒ０）、第１ワッシャー３５と第２ワッシャー３６との間の距離Ｆ１はピストン２１の直径（＝２×Ｒ０）よりもやや小さくすることで（Ｆ１＜（２×Ｒ０））、ピストン２１をＺ軸方向にやや押し潰している。このＺ軸方向へのピストン２１の押し潰しにより、ＸＹ面（Ｚ軸に対して垂直な平面）に沿ったピストン２１の寸法を増加（ピストン２１のＸＹ面に平行な断面（図５）のうち最大の半径がＲ１になる。）させることでピストン２１の外周面がシリンダー５１の内周面５５に当接している（特に図５参照）。
即ち、このピストン２１によってシリンダー５１の内部空間５３が一方側５３ａと他方側５３ｂとに仕切られるので、従来から公知のシリンダーとそれに嵌入されるピストンとのように、第１支持棒３２を介してピストン２１をＺ軸方向に移動させれば一方側５３ａ及び他方側５３ｂの一方に存する流体を吐出したり、一方側５３ａ及び他方側５３ｂの一方に流体を吸入することができる。また、一方側５３ａ及び他方側５３ｂの一方に流体を注入することでピストン２１をＺ軸方向に駆動し、第１支持棒３２を介して動力を取り出すこともできる。
【００２８】
図６は、本装置１１の第２使用方法について説明する図である。図６は、本装置１１のピストン２１をシリンダー６１の内部空間６３に嵌入したところを示す図であり、シリンダー６１の内部空間６３は、Ｚ軸に平行な軸を有し半径Ｒ２の直円柱形状をなし、シリンダー６１は該直円柱の軸を含む平面で切断したところを示している（本装置１１は断面ではない。）。図７は、図６のＪ−Ｊ断面図である。
ここではピストン２１が、重力を除き外力を受けていない状態（例えば図２）におけるピストン２１がなす球の半径Ｒ０よりも、半径Ｒ２は大きいものであるので（Ｒ２＞Ｒ１＞Ｒ０）、第１ワッシャー３５と第２ワッシャー３６との間の距離Ｆ２はピストン２１の直径（＝２×Ｒ０）よりも小さくすることで（Ｆ２＜Ｆ１＜（２×Ｒ０））、ピストン２１をＺ軸方向に押し潰している。このＺ軸方向へのさらなるピストン２１の押し潰しにより、ＸＹ面（Ｚ軸に対して垂直な平面）に沿ったピストン２１の寸法を増加（ピストン２１のＸＹ面に平行な断面（図７）のうち最大の半径がＲ２になる。）させることでピストン２１の外周面がシリンダー６１の内周面６５に当接している（特に図７参照）。
即ち、このピストン２１によってシリンダー６１の内部空間６３が一方側６３ａと他方側６３ｂとに仕切られるので、従来から公知のシリンダーとそれに嵌入されるピストンとのように、第１支持棒３２を介してピストン２１をＺ軸方向に移動させれば一方側６３ａ及び他方側６３ｂの一方に存する流体を吐出したり、一方側６３ａ及び他方側６３ｂの一方に流体を吸入することができる。また、一方側６３ａ及び他方側６３ｂの一方に流体を注入することでピストン２１をＺ軸方向に駆動し、第１支持棒３２を介して動力を取り出すこともできる。
【００２９】
なお、ピストン２１に当接する第１ワッシャー３５の当接面３５ｆの縁部３５ｅと、ピストン２１に当接する第２ワッシャー３６の当接面３６ｆの縁部３６ｅと、は、想定されるＺ軸方向へのピストン２１のいかなる押し潰し状態においてもピストン２１にめり込まないよう（好ましくは縁部３５ｅ、３６ｅがピストン２１の外面に接触しない。）、当接面３５ｆ、３６ｆは十分な大きさにされている。
【００３０】
このように第１ワッシャー３５と第２ワッシャー３６との間の距離Ｆ（Ｆ１、Ｆ２）を所定範囲内にて減少させるとピストン２１をＺ軸方向に押し潰すことで、ＸＹ面（Ｚ軸に対して垂直な平面）に平行な断面におけるピストン２１の半径を増加させることができるので（該所定範囲内における距離Ｆの減少に伴って、ＸＹ面に平行な断面におけるピストン２１の最大半径が連続的に単調増加する。）、シリンダーの内径が所定範囲内で変化しても距離Ｆを調節することでピストン外周面をシリンダー内周面５５、６５に当接させることができる。
即ち、内径の異なるシリンダー５１、６１に対し、１のピストン２１を用いることができるので、使用するピストン２１の種類を減少させることができる。また、使用されることで内周面５５、６５が摩耗等して内径が大きくなったシリンダーに対しても、距離Ｆを減少させることで再びピストン外周面をシリンダー内周面５５、６５に当接させることができるし、使用されることで外周面が摩耗等してシリンダー内周面との間に隙間を生じるようになったピストン２１であっても、距離Ｆを減少させることで再びピストン外周面をシリンダー内周面に当接させることができる。
【００３１】
以上説明した通り、本装置１１は、一方（図４及び図６においては上方）と他方（図４及び図６においては下方）との間で連続する内部空間５３、６３を有するシリンダー５１、６１の該内部空間５３、６３を該一方側５３ａ、６３ａと該他方側５３ｂ、６３ｂとに仕切るように配置されるピストン装置であって、該内部空間５３、６３を該一方側５３ａ、６３ａと該他方側５３ｂ、６３ｂとに仕切る可撓性のピストン本体（ピストン２１）と、該内部空間５３、６３が連続する方向である連続方向（Ｚ軸方向。図４及び図６においては上下方向）の成分を有する方向である変形方向（Ｚ軸方向。図４及び図６においては上下方向）の力をピストン本体（ピストン２１）に加えることでピストン本体（ピストン２１）を変形させる変形手段（ここでは第２支持棒３３、第１ナット３４、第１ワッシャー３５、第２ワッシャー３６、第２ナット３７を含んで構成されている。）と、を備えてなり、変形手段（第２支持棒３３、第１ナット３４、第１ワッシャー３５、第２ワッシャー３６、第２ナット３７を含む。）によるピストン本体（ピストン２１）の変形により、該内部空間５３、６３を規定するシリンダー内壁（内周面５５、６５）に当接するピストン本体（ピストン２１）の部分の大きさを変化させる（図５、図７）ものである、ピストン装置である。
【００３２】
なお、ピストン本体が該内部空間を一方側と他方側とに仕切るとは、ピストン本体によって該一方側と該他方側との間の流体の流通が妨げられれば足り、該一方側と該他方側との間の流体の流通が完全に遮断される場合のみならず、該一方側と該他方側との間の流体の流通を一部許容するような場合も含む。
また、ピストン本体は、所望の異なるシリンダー大きさに適する程度の可撓性を要することから、ピストン本体の構造部分（外力を負担しピストン本体の全体形状を決定する部分）を構成する材料は、かかる可撓性を実現できるようなものを用いることが好ましく、例えば、ゴム材料（合成ゴム、天然ゴムのいずれも含む。）や柔軟な樹脂材料（合成樹脂、天然樹脂のいずれも含む。）等を挙げることができる。
そして、変形方向は、シリンダーの内部空間が連続する方向（シリンダーにおいてピストン本体が移動する方向）である連続方向の成分を有する方向であり、連続方向に平行な直線（連続方向が曲線の場合は該曲線の接線）と、変形方向に平行な直線と、の２直線の一方を他方に交わるように平行移動させた際の該交わる両直線の交わる角度（０度以上９０度未満）が好ましくは６０度以下、より好ましくは４５度以下、最も好ましくは３０度以下である。
【００３３】
本装置１１においては、変形手段（第２支持棒３３、第１ナット３４、第１ワッシャー３５、第２ワッシャー３６、第２ナット３７を含む。）が力を加えていない状態のピストン本体（ピストン２１）が、球状を略なすものである（図１、図２）。
本装置１１においては、変形方向が連続方向と同じものである（いずれもＺ軸方向。図４及び図６においては上下方向）。
本装置１１においては、変形方向（Ｚ軸方向。図４及び図６においては上下方向）の前記力が圧縮力である（第１ワッシャー３５と第２ワッシャー３６との間での圧縮力）。
【００３４】
本装置１１においては、変形手段（第２支持棒３３、第１ナット３４、第１ワッシャー３５、第２ワッシャー３６、第２ナット３７を含む。）が、ピストン本体（ピストン２１）を挟んで変形方向（Ｚ軸方向。図４及び図６においては上下方向）の両側（ここでは上側と下側）に存し、互いの変形方向（Ｚ軸方向。図４及び図６においては上下方向）に沿った距離Ｆ（Ｆ１、Ｆ２）が所定範囲内で変化可能な一対の作用部（ここでは第１ナット３４及び第１ワッシャー３５と、第２ワッシャー３６及び第２ナット３７と、によって一対の作用部が形成されている。）を有してなる。
本装置１１においては、変形手段（第２支持棒３３、第１ナット３４、第１ワッシャー３５、第２ワッシャー３６、第２ナット３７を含む。）が、変形方向（Ｚ軸方向。図４及び図６においては上下方向）に沿った棒状部材（ここでは第２支持棒３３）を有してなり、一対の作用部（第１ナット３４及び第１ワッシャー３５、第２ワッシャー３６及び第２ナット３７）の少なくとも一方（ここでは両方）が該棒状部材（第２支持棒３３）の長手方向（ここではＺ軸に沿った直線Ｃ方向）に沿って移動可能（第１ナット３４及び第２ナット３７を第２支持棒３３の周りに回転させる。）であると共に一対の作用部（第１ナット３４及び第１ワッシャー３５、第２ワッシャー３６及び第２ナット３７）の少なくとも他方（ここでは両方）が該一方から遠ざかる方向に移動することが禁止可能（第１ナット３４及び第２ナット３７のいずれも、第１ワッシャー３５や第２ワッシャー３６から押圧されても回転されなければ、該方向に移動しない。）なものである。
本装置１１においては、一対の作用部（第１ナット３４及び第１ワッシャー３５、第２ワッシャー３６及び第２ナット３７）の両方が前記棒状部材（第２支持棒３３）の長手方向（Ｚ軸に沿った直線Ｃ方向）に沿って移動可能であると共に一対の作用部（第１ナット３４及び第１ワッシャー３５、第２ワッシャー３６及び第２ナット３７）の両方が一対の作用部（第１ナット３４及び第１ワッシャー３５、第２ワッシャー３６及び第２ナット３７）の間の距離Ｆ（Ｆ１、Ｆ２）が増加する方向に変位することが禁止可能なものである。
【００３５】
本装置１１においては、前記棒状部材（第２支持棒３３）がピストン本体（ピストン２１）を貫通するものである。
本装置１１においては、作用部（第１ナット３４及び第１ワッシャー３５、第２ワッシャー３６及び第２ナット３７）の少なくとも一方（ここでは両方）が、ピストン本体（ピストン２１）に当接し前記棒状部材（第２支持棒３３）が貫通する貫通穴を有する当接板（第１ワッシャー３５、第２ワッシャー３６）と、前記棒状部材（第２支持棒３３）に係止されることで当接板（第１ワッシャー３５、第２ワッシャー３６）がピストン本体（ピストン２１）から遠ざかる方向に移動することを禁止する移動禁止部（第１ナット３４、第２ナット３７）と、を含んでなる。
本装置１１においては、前記棒状部材（第２支持棒３３）はその長手方向（Ｚ軸に沿った直線Ｃ方向）に沿った雄ねじ部分（ここでは第２支持棒３３の外周面に螺刻された雄ねじ）を有してなり、移動禁止部（第１ナット３４、第２ナット３７）は、該雄ねじ部分（第２支持棒３３の外周面に螺刻された雄ねじ）に螺合する雌ねじ部分を内周面に有する貫通穴を有する雌ねじ部材（ナット）により構成されるものである。
本装置１１においては、ピストン本体（ピストン２１）が、硬式テニスボール１０１により構成されるものである。
【符号の説明】
【００３６】
１１        本装置
２１        ピストン
２３        貫入穴
３１        ピストン支持部
３２        第１支持棒
３２ｂ      一端
３３        第２支持棒
３３ａ      一端
３３ｂ      他端
３４        第１ナット
３５        第１ワッシャー
３５ｅ      縁部
３５ｆ      当接面
３６        第２ワッシャー
３６ｅ      縁部
３６ｆ      当接面
３７        第２ナット
５１        シリンダー
５３        内部空間
５３ａ      一方側
５３ｂ      他方側
５５        内周面
６１        シリンダー
６３        内部空間
６３ａ      一方側
６３ｂ      他方側
６５        内周面
１０１        硬式テニスボール
２０１        支持筒
２０３        内部空間
２０５        内周面
２０７        上縁
２０９        軸
２５１        ドリル
【図１】
2019086013.tif 000003
【図２】
2019086013.tif 000004
【図３】
2019086013.tif 000005
【図４】
2019086013.tif 000006
【図５】
2019086013.tif 000007
【図６】
2019086013.tif 000008
【図７】
2019086013.tif 000009
【図８】
2019086013.tif 000010